(57)【要約】【課題】液晶表示装置において、ゲートドライバＩＣの出力電圧値の異常を検出可能な技術を提供することを目的とする。【解決手段】液晶表示装置は、複数のゲート配線５を有する液晶パネル１と、ゲートドライバＩＣ３ａと、ゲートドライバＩＣ３ｂとを備え、第１の状態と第２の状態を採ることが可能である。第１の状態において、ゲートドライバＩＣ３ａにおけるｏｕｔＮ（Ｎ＝１，２，３，・・・）端子と出力部１１が接続され、ゲートドライバＩＣ３ａは電圧出力動作を行い、ゲートドライバＩＣ３ｂにおけるｏｕｔＮ（Ｎ＝１，２，３，・・・）端子と検出部１２が接続され、ゲートドライバＩＣ３ｂは、異常検出動作を行うことで、ゲートドライバＩＣ３ａの出力電圧値の異常を検出する。【選択図】図３
2019207275.tif 000002
【特許請求の範囲】
【請求項１】
複数のゲート配線を有する液晶パネルと、
複数の前記ゲート配線の一端に接続される複数の第１端子と、複数の前記第１端子と接続可能でありかつ複数の前記ゲート配線を駆動するための電圧を出力する電圧出力動作を行う第１出力部と、複数の前記第１端子と接続可能でありかつ複数の前記ゲート配線に与えられた前記電圧の値の異常を検出する異常検出動作を行う第１検出部とを有する第１ゲートドライバＩＣと、
複数の前記ゲート配線の他端に接続される複数の第２端子と、複数の前記第２端子と接続可能でありかつ複数の前記ゲート配線を駆動するための電圧を出力する電圧出力動作を行う第２出力部と、複数の前記第２端子と接続可能でありかつ複数の前記ゲート配線に与えられた前記電圧の値の異常を検出する異常検出動作を行う第２検出部とを有する第２ゲートドライバＩＣと、
を備え、
第１の状態と第２の状態を採ることが可能であり、
前記第１の状態において、前記第１ゲートドライバＩＣにおける複数の前記第１端子と前記第１出力部が接続され、前記第１ゲートドライバＩＣは前記電圧出力動作を行い、前記第２ゲートドライバＩＣにおける複数の前記第２端子と前記第２検出部が接続され、前記第２ゲートドライバＩＣは、前記異常検出動作を行うことで、前記第１ゲートドライバＩＣの出力電圧値の異常を検出し、
前記第２の状態において、前記第１ゲートドライバＩＣにおける複数の前記第１端子と前記第１検出部が接続され、前記第１ゲートドライバＩＣは、前記異常検出動作を行うことで、前記第２ゲートドライバＩＣの出力電圧値の異常を検出し、前記第２ゲートドライバＩＣにおける複数の前記第２端子と前記第２出力部が接続され、前記第２ゲートドライバＩＣは前記電圧出力動作を行う、液晶表示装置。
【請求項２】
前記第１ゲートドライバＩＣは、複数の前記第１端子および前記第１出力部の接続と、複数の前記第１端子および前記第１検出部の接続とを切り替えることで、前記電圧出力動作と前記異常検出動作とを切り替え可能な第１設定用端子をさらに有し、
前記第２ゲートドライバＩＣは、複数の前記第２端子および前記第２出力部の接続と、複数の前記第２端子および前記第２検出部の接続とを切り替えることで、前記電圧出力動作と前記異常検出動作とを切り替え可能な第２設定用端子をさらに有する、請求項１記載の液晶表示装置。
【請求項３】
前記第１ゲートドライバＩＣおよび前記第２ゲートドライバＩＣは、映像信号のフレーム毎に、交互に前記電圧出力動作と前記異常検出動作が入れ替わるように切り替えを行う、請求項２記載の液晶表示装置。
【請求項４】
前記第１ゲートドライバＩＣは、複数の前記ゲート配線のうち一部の前記ゲート配線に接続される前記第１端子において前記電圧出力動作を行い、複数の前記ゲート配線のうち残部の前記ゲート配線に接続される前記第１端子において前記異常検出動作を行うことで、前記第２ゲートドライバＩＣの出力電圧値の異常を検出し、
前記第２ゲートドライバＩＣは、複数の前記ゲート配線のうち前記一部の前記ゲート配線に接続される前記第２端子において前記異常検出動作を行うことで、前記第１ゲートドライバＩＣの出力電圧値の異常を検出し、複数の前記ゲート配線のうち前記残部の前記ゲート配線に接続される前記第２端子において前記電圧出力動作を行う、請求項２記載の液晶表示装置。
【請求項５】
前記第１ゲートドライバＩＣは、前記第２ゲートドライバＩＣの出力電圧値の異常を一定期間検出した場合、前記第１ゲートドライバＩＣのみ前記電圧出力動作を行うことが可能である、請求項３記載の液晶表示装置。
【発明の詳細な説明】
【技術分野】
【０００１】
本発明は、液晶表示装置の異常検出に関し、特に液晶駆動用のゲートドライバＩＣの電圧出力動作の異常を検出可能な技術に関するものである。
【背景技術】
【０００２】
液晶表示装置は、画素への充電を制御する薄膜トランジスタ（ＴＦＴ：Thin Film Transistor）のオン、オフを制御するためのゲート配線を駆動するゲートドライバＩＣと、各画素へ電荷を供給するためのソース配線を駆動するソースドライバＩＣとを備える。各ドライバＩＣは、液晶パネルの外側に設けられた回路基板上のタイミングコントローラー（Timing Controller）からの制御信号によって液晶パネルの駆動のための動作を行う。
【０００３】
ゲートドライバＩＣは、タイミングコントローラーからの垂直スタートパルス信号（ＳＴＶ１）を受けて動作を開始し、シフトクロック（ＣＬＫＶ）に同期してゲート配線へ電圧を出力する。このとき、いずれかのゲート配線にはＴＦＴのオン電圧を出力し、残りのゲート配線にはＴＦＴのオフ電圧を出力するような制御を行う。全てのゲート配線のシフト動作が終わるとゲートドライバＩＣはＳＴＶ１のリターン信号（ＳＴＶ２）を出力する。出力されたＳＴＶ２信号をタイミングコントローラーまたはユーザー側で監視することで、ゲートドライバＩＣのシフト動作が正常に行われているかどうかを確認することができる。
【０００４】
例えば、特許文献１では、ドライバＩＣをカスケード接続する配線に注目し、当該配線に流れる信号を監視することでドライバＩＣの異常を検出している。
【先行技術文献】
【特許文献】
【０００５】
【特許文献１】国際公開第２０１５／１２５１９９号
【発明の概要】
【発明が解決しようとする課題】
【０００６】
このように、ゲートドライバＩＣのＳＴＶ１のリターン信号であるＳＴＶ２の監視によって、ゲートドライバＩＣのシフト動作の異常を検出することができるが、ゲートドライバＩＣの各出力電圧の値が正しい値となっているかどうかまでは判断できない。よって、ゲートドライバＩＣから出力される電圧の値が異常であってもシフト動作に問題がなければＳＴＶ２はゲートドライバＩＣから出力されるため、タイミングコントローラーまたはユーザー側はゲートドライバＩＣの出力異常を検出することができないという問題があった。
【０００７】
そこで、本発明は、液晶表示装置において、ゲートドライバＩＣの出力電圧値の異常を検出可能な技術を提供することを目的とする。
【課題を解決するための手段】
【０００８】
本発明に係る液晶表示装置は、複数のゲート配線を有する液晶パネルと、複数の前記ゲート配線の一端に接続される複数の第１端子と、複数の前記第１端子と接続可能でありかつ複数の前記ゲート配線を駆動するための電圧を出力する電圧出力動作を行う第１出力部と、複数の前記第１端子と接続可能でありかつ複数の前記ゲート配線に与えられた前記電圧の値の異常を検出する異常検出動作を行う第１検出部とを有する第１ゲートドライバＩＣと、複数の前記ゲート配線の他端に接続される複数の第２端子と、複数の前記第２端子と接続可能でありかつ複数の前記ゲート配線を駆動するための電圧を出力する電圧出力動作を行う第２出力部と、複数の前記第２端子と接続可能でありかつ複数の前記ゲート配線に与えられた前記電圧の値の異常を検出する異常検出動作を行う第２検出部とを有する第２ゲートドライバＩＣとを備え、第１の状態と第２の状態を採ることが可能であり、前記第１の状態において、前記第１ゲートドライバＩＣにおける複数の前記第１端子と前記第１出力部が接続され、前記第１ゲートドライバＩＣは前記電圧出力動作を行い、前記第２ゲートドライバＩＣにおける複数の前記第２端子と前記第２検出部が接続され、前記第２ゲートドライバＩＣは、前記異常検出動作を行うことで、前記第１ゲートドライバＩＣの出力電圧値の異常を検出し、前記第２の状態において、前記第１ゲートドライバＩＣにおける複数の前記第１端子と前記第１検出部が接続され、前記第１ゲートドライバＩＣは、前記異常検出動作を行うことで、前記第２ゲートドライバＩＣの出力電圧値の異常を検出し、前記第２ゲートドライバＩＣにおける複数の前記第２端子と前記第２出力部が接続され、前記第２ゲートドライバＩＣは前記電圧出力動作を行うものである。
【発明の効果】
【０００９】
本発明によれば、液晶表示装置は、第１ゲートドライバＩＣの第１端子から出力された電圧の値が異常であるかどうかを検出することができる。
【図面の簡単な説明】
【００１０】
【図１】実施の形態１に係る液晶表示装置の概略図である。
【図２】実施の形態１に係る液晶表示装置が備える第１ゲートドライバＩＣ、第２ゲートドライバＩＣ、およびタイミングコントローラーの接続を示す概略図である。
【図３】第１ゲートドライバＩＣおよび第２ゲートドライバＩＣの内部ブロック図である。
【図４】出力・検出切替え部の内部ブロック図である。
【図５】検出部の内部ブロック図である。
【図６】ＶＧＨ、ＶＧＬ異常判定基準電圧生成部の構成図である。
【図７】第１ゲートドライバＩＣおよび第２ゲートドライバＩＣの動作を示す概略図である。
【図８】実施の形態２に係る液晶表示装置が備える第１ゲートドライバＩＣ、第２ゲートドライバＩＣ、およびタイミングコントローラーの接続と、これらの動作を示す概略図である。
【図９】実施の形態３に係る液晶表示装置が備える第１ゲートドライバＩＣ、第２ゲートドライバＩＣ、およびタイミングコントローラーの接続と、これらの動作を示す概略図である。
【図１０】実施の形態４に係る液晶表示装置が備える第１ゲートドライバＩＣ、第２ゲートドライバＩＣ、およびタイミングコントローラーの接続と、これらの動作を示す概略図である。
【図１１】前提技術に係る液晶表示装置の概略図である。
【図１２】前提技術に係る液晶表示装置が備えるゲートドライバＩＣの動作を示すタイミングチャートである。
【発明を実施するための形態】
【００１１】
＜前提技術＞
最初に、前提技術に係る液晶表示装置について説明する。図１１は、前提技術に係る液晶表示装置の概略図である。図１２は、前提技術に係る液晶表示装置が備えるゲートドライバＩＣ３の動作を示すタイミングチャートである。
【００１２】
図１１に示すように、前提技術に係る液晶表示装置は、液晶パネル１、ガラス基板２、ゲートドライバＩＣ３、ソースドライバＩＣ４、タイミングコントローラー７、および回路基板８を備えている。ガラス基板２の上面に、複数のゲート配線５および複数のソース配線６を有する液晶パネル１が設けられる。
【００１３】
複数のゲート配線５および複数のソース配線６は互いに交差するように配置され、複数のゲート配線５の一端に複数のゲート配線５を駆動するゲートドライバＩＣ３が接続される。また、複数のソース配線６の一端に複数のソース配線６を駆動するソースドライバＩＣ４が接続される。
【００１４】
ゲートドライバＩＣ３およびソースドライバＩＣ４は、液晶パネル１の外側に設けられた回路基板８上のタイミングコントローラー７からの制御信号によって液晶パネル１の駆動のための動作を行う。
【００１５】
図１２に示すように、ゲートドライバＩＣ３は、タイミングコントローラー７からの垂直スタートパルス信号（ＳＴＶ１）を受けて動作を開始し、シフトクロック（ＣＬＫＶ）に同期してゲート配線５へ電圧を出力する。このとき、いずれかのゲート配線５にはＴＦＴのオン電圧を出力し、残りのゲート配線５にはＴＦＴのオフ電圧を出力するような制御を行う。全てのゲート配線５に対するシフト動作が終わるとゲートドライバＩＣ３はＳＴＶ１のリターン信号（ＳＴＶ２）を出力する。出力されたＳＴＶ２信号をタイミングコントローラー７で監視することで、ゲートドライバＩＣ３のシフト動作が正常に行われているかどうかを確認することができる。
【００１６】
しかし、前提技術では、ゲートドライバＩＣ３から出力される電圧の値が異常であってもシフト動作に問題がなければＳＴＶ２はゲートドライバＩＣ３から出力されるため、ゲートドライバＩＣ３の出力異常を検出することができないという問題があった。実施の形態１に係る液晶表示装置は、以上のような課題を解決するものである。
【００１７】
＜実施の形態１＞
本発明の実施の形態１について、図面を用いて以下に説明する。図１は、実施の形態１に係る液晶表示装置の概略図である。図２は、液晶表示装置が備えるゲートドライバＩＣ３ａ、ゲートドライバＩＣ３ｂ、およびタイミングコントローラー７の接続を示す概略図である。
【００１８】
図１に示すように、実施の形態１に係る液晶表示装置は、液晶パネル１、ガラス基板２、第１ゲートドライバＩＣとしてのゲートドライバＩＣ３ａ、第２ゲートドライバＩＣとしてのゲートドライバＩＣ３ｂ、ソースドライバＩＣ４（図１１参照）、タイミングコントローラー７（図２参照）、および回路基板８（図１１参照）を備える。すなわち、前提技術に係る液晶表示装置に対して、実施の形態１に係る液晶表示装置は、ゲートドライバＩＣ３の代わりにゲートドライバＩＣ３ａおよびゲートドライバＩＣ３ｂを備える。なお、ゲートドライバＩＣ３ｂが第１ゲートドライバＩＣ、ゲートドライバＩＣ３ａが第２ゲートドライバＩＣであってもよい。
【００１９】
ゲートドライバＩＣ３ａは複数のゲート配線５の一端に接続され、ゲートドライバＩＣ３ｂは複数のゲート配線５の他端に接続される。なお、図１では、ソース配線６、タイミングコントローラー７、および回路基板８の図示を省略している。また、図１と図１１とで図示しているゲート配線５の本数が異なっているが、実際は同じ本数である。
【００２０】
図２に示すように、ゲートドライバＩＣ３ａは第１端子としてのｏｕｔＮ（Ｎ＝１，２，３，・・・）端子を備える。これと同様に、ゲートドライバＩＣ３ｂは第２端子としてのｏｕｔＮ（Ｎ＝１，２，３，・・・）端子を備える。ゲートドライバＩＣ３ａのｏｕｔＮ（Ｎ＝１，２，３，・・・）端子はゲート配線５の一端に接続され、ゲートドライバＩＣ３ｂのｏｕｔＮ（Ｎ＝１，２，３，・・・）端子はゲート配線５の他端に接続される。ここで、ゲートドライバＩＣ３ａおよびゲートドライバＩＣ３ｂのｏｕｔＮ（Ｎ＝１，２，３，・・・）端子は双方向端子である。
【００２１】
実施の形態１では、ゲートドライバＩＣ３ａは、前提技術に係る液晶表示装置が備えるゲートドライバＩＣ３と同様に、複数のゲート配線５を駆動するための電圧、すなわち、ＴＦＴのオン電圧（ＶＧＨ）またはＴＦＴのオフ電圧（ＶＧＬ）を出力する電圧出力動作を行うゲート配線駆動用ＩＣとして動作する。一方、ゲートドライバＩＣ３ｂは、ゲート配線５に与えられた電圧の値の異常を検出することで、ゲートドライバＩＣ３ａの出力電圧値の異常を検出する異常検出動作を行う異常検出用ＩＣとして動作する。
【００２２】
ゲートドライバＩＣ３ｂは、検出したＶＧＨまたはＶＧＬの電圧値が異常であると判定すると、異常信号（ＧＶＦＡＩＬ）を出力する。そのＧＶＦＡＩＬ信号をタイミングコントローラー７で検出することで、ゲートドライバＩＣ３ａから出力された電圧の値が異常であることを認識することが可能となる。
【００２３】
ゲートドライバＩＣ３ａおよびゲートドライバＩＣ３ｂは共に、電圧出力動作および異常検出動作を行うことが可能である。これにより、液晶表示装置は、第１の状態と第２の状態を採ることが可能である。第１の状態において、ゲートドライバＩＣ３ａは電圧出力動作を行うとともに、ゲートドライバＩＣ３ｂは異常検出動作を行う。第２の状態において、ゲートドライバＩＣ３ａは異常検出動作を行うとともに、ゲートドライバＩＣ３ｂは電圧出力動作を行う。そして実施の形態１では、液晶表示装置は第１の状態を採る。
【００２４】
ゲートドライバＩＣ３ａは、電圧出力動作と異常検出動作とを切り替え可能な第１設定用端子としてのＧＤＥＴＭＯＤＥ端子をさらに備える。これと同様に、ゲートドライバＩＣ３ｂは、電圧出力動作と異常検出動作とを切り替え可能な第２設定用端子としてのＧＤＥＴＭＯＤＥ端子をさらに備える。なお、図面においてゲートドライバＩＣはＧ−ＩＣ、タイミングコントローラーはＴ−ＣＯＮとして記載されている。
【００２５】
次に、ゲートドライバＩＣ３ａおよびゲートドライバＩＣ３ｂの詳細について説明する。図３は、ゲートドライバＩＣ３ａおよびゲートドライバＩＣ３ｂの内部ブロック図であり、内部ブロックと入出力信号が簡易的に示されている。図４は、出力・検出切替え部１３の内部ブロック図である。図５は、検出部１２の内部ブロック図である。図６は、ＶＧＨ、ＶＧＬ異常判定基準電圧生成部の構成図である。図７は、ゲートドライバＩＣ３ａおよびゲートドライバＩＣ３ｂの動作を示す概略図である。
【００２６】
図３に示すように、ゲートドライバＩＣ３ａおよびゲートドライバＩＣ３ｂは、出力部１１、検出部１２、および出力・検出切替え部１３を備える。なお、ゲートドライバＩＣ３ａの出力部１１が第１出力部、検出部１２が第１検出部に相当する。また、ゲートドライバＩＣ３ｂの出力部１１が第２出力部、検出部１２が第２検出部に相当する。
【００２７】
図４に示すように、出力・検出切替え部１３は、スイッチ１４を備え、ＧＤＥＴＭＯＤＥ端子に入力される信号に従って、ｏｕｔＮ（Ｎ＝１，２，３，・・・）端子を、出力部１１の出力端子であるＶｏｎ（ｎ＝１，２，・・・）端子と接続するか、検出部１２の入力端子であるＶＤｎ（ｎ＝１，２，・・・）端子と接続するかを選択する。
【００２８】
ＧＤＥＴＭＯＤＥ端子に入力される信号が”Ｌ”レベルのとき、ゲートドライバＩＣ３ａのｏｕｔＮ（Ｎ＝１，２，３，・・・）端子は出力部１１のＶＯｎ（ｎ＝１，２，・・・）端子と接続され、ゲートドライバＩＣ３ａは電圧出力動作を行う。ＧＤＥＴＭＯＤＥ端子に入力される信号が”Ｈ”レベルのとき、ゲートドライバＩＣ３ａのｏｕｔＮ（Ｎ＝１，２，３，・・・）端子は検出部１２のＶＤｎ（ｎ＝１，２，・・・）端子と接続され、ゲートドライバＩＣ３ａは異常検出動作を行う。
【００２９】
出力部１１は、前提技術のゲートドライバＩＣ３に備わっている機能そのものが入った部分であり、ＳＴＶ１を受けて動作を開始し、ＣＬＫＶに同期してＶＧＨまたはＶＧＬをＶＯｎ（ｎ＝１，２，・・・）端子に出力する。また、出力イネーブル入力信号（ＯＥ）が”Ｈ”レベルのときは、ＣＬＫＶに非同期で全てのＶＯｎ（ｎ＝１，２，・・・）端子の出力をＶＧＬにする。なお、ＧＤＥＴＭＯＤＥ端子に入力される信号が”Ｈ”レベルのとき、出力部１１は電圧出力動作を停止し、全てのＶＯｎ（ｎ＝１，２，・・・）端子の出力はオープンとなる。
【００３０】
次に、検出部１２について説明する。図５に示すように、シフトレジスタ２１、ＶＤ１電圧判定部２２−１、ＶＤ２電圧判定部２２−２、ＶＤ３電圧判定部２２−３、・・・、ＶＤｎ電圧判定部２２−ｎ、およびＡＮＤ回路２６を備える。検出部１２は、ｏｕｔＮ（Ｎ＝１，２，３，・・・）端子から入力されたＶＤｎ（ｎ＝１，２，・・・）の各電圧（ＶＧＨまたはＶＧＬ）の値が正常かどうかを判定し、複数のゲート配線５に与えられた電圧の値の異常を検出する。
【００３１】
具体的には、ＶＤｎ（ｎ＝１，２，・・・）の各電圧はＶＤ１電圧判定部２２−１、ＶＤ２電圧判定部２２−２、ＶＤ３電圧判定部２２−３、・・・、およびＶＤｎ電圧判定部２２−ｎにそれぞれ入力されて各々のブロックで異常判定が行われ、異常判定信号ＧＮＦＡＩＬｎ（ｎ＝１，２・・・）（正常時”Ｈ”レベル、異常時”Ｌ”レベル）が出力される。最終的に各ＧＮＦＡＩＬｎ（ｎ＝１，２，・・・）のＡＮＤをとった異常判定信号ＧＶＦＡＩＬをゲートドライバＩＣ３ａおよびゲートドライバＩＣ３ｂから出力する。なお、ＧＤＥＴＭＯＤＥ端子への入力が”Ｌ”レベルのとき、検出部１２は異常検出動作を停止し、ＧＶＦＡＩＬ端子の出力はオープンとなる。
【００３２】
ＶＤ１電圧判定部２２−１、ＶＤ２電圧判定部２２−２、ＶＤ３電圧判定部２２−３、・・・、およびＶＤｎ電圧判定部２２−ｎにおいて、まず、ＶＤｎ（ｎ＝１，２，・・・）がＶＧＨまたはＶＧＬのどちらを判定するかをシフトレジスタ２１からの出力によって判定する。シフトレジスタ２１は、ＳＴＶ１入力後、ＣＬＫＶによるシフト動作によって、ＶＤｎ（ｎ＝１，２，・・・）がＶＧＨ（またはＶＧＬ）を判定すべきかを判断し、ＶＤ１電圧判定部２２−１に指示する。このとき、ＯＥ信号が”Ｈ”レベルのときは、クロックに非同期でＶＤ１電圧判定部２２−１、ＶＤ２電圧判定部２２−２、ＶＤ３電圧判定部２２−３、・・・、およびＶＤｎ電圧判定部２２−ｎの全てがＶＧＬ判定を行う。
【００３３】
次に、ＶＧＨおよびＶＧＬ判定について説明する。判定は、ＶＤ１電圧判定部２２−１、ＶＤ２電圧判定部２２−２、ＶＤ３電圧判定部２２−３、・・・、およびＶＤｎ電圧判定部２２−ｎにおいて行われるが、ここではＶＤ１電圧判定部２２−１で行われる判定について説明する。
【００３４】
ＶＤ１電圧判定部２２−１は、ＶＧＨ／ＶＧＬ判定部２３ａ，２３ｂおよび比較部２４を備える。ＶＤ１電圧判定部２２−１がＶＧＨを判定する場合は（ａ）、ＶＧＬを判定する場合は（ｂ）にスイッチが切り替わる。比較部２４は、２つのオペアンプ２５ａ，２５ｂを備え、ＶＧＨ（またはＶＧＬ）を基準電圧ＶＧＨ＿ｒｅｆ（またはＶＧＬ＿ｒｅｆ）と比較し、アンプ出力の正負で異常判定信号ＧＮＦＡＩＬ１のレベルが決定される。具体的には、ＶＧＨがＶＧＨ＿ｒｅｆを下回ると（またはＶＧＬがＶＧＬ＿ｒｅｆを上回ると）、ＧＮＦＡＩＬ１が”Ｌ”レベルとなる。なお、ＶＧＨ＿ｒｅｆとＶＧＬ＿ｒｅｆの電圧は、図６に示す回路で生成される。
【００３５】
図７に示すように、ゲートドライバＩＣ３ａのＧＤＥＴＭＯＤＥ端子への入力を”Ｌ”レベル、ゲートドライバＩＣ３ｂのＧＤＥＴＭＯＤＥ端子への入力を”Ｈ”レベルに固定することで、ゲートドライバＩＣ３ａは電圧出力動作、ゲートドライバＩＣ３ｂは異常検出動作を行う。そして、ゲートドライバＩＣ３ｂからのＧＶＦＡＩＬ信号をタイミングコントローラー７で監視することでゲート電圧の異常を検出することが可能となる。
【００３６】
以上のように、実施の形態１に係る液晶表示装置は、第１の状態と第２の状態を採ることが可能であり、第１の状態において、ゲートドライバＩＣ３ａにおけるｏｕｔＮ（Ｎ＝１，２，３，・・・）端子と出力部１１が接続され、ゲートドライバＩＣ３ａは電圧出力動作を行い、ゲートドライバＩＣ３ｂにおけるｏｕｔＮ（Ｎ＝１，２，３，・・・）端子と検出部１２が接続され、ゲートドライバＩＣ３ｂは、異常検出動作を行うことで、ゲートドライバＩＣ３ａの出力電圧値の異常を検出する。したがって、液晶表示装置は、ゲートドライバＩＣ３ａのｏｕｔＮ（Ｎ＝１，２，３，・・・）端子から出力された電圧の値が異常であるかどうかを検出することができる。
【００３７】
これにより、ゲートドライバＩＣ３ａの故障および液晶パネル１上のゲート配線５の断線の検出率を向上させることが可能となる。
【００３８】
ゲートドライバＩＣ３ａおよびゲートドライバＩＣ３ｂは、ｏｕｔＮ（Ｎ＝１，２，３，・・・）端子および出力部１１の接続と、ｏｕｔＮ（Ｎ＝１，２，３，・・・）端子および検出部１２の接続とを切り替えることで、電圧出力動作と異常検出動作とを切り替え可能なＧＤＥＴＭＯＤＥ端子をさらに有する。したがって、１種類のゲートドライバＩＣで電圧出力動作と異常検出動作とを切り替えることができるため、ゲートドライバＩＣの汎用性が向上する。
【００３９】
＜実施の形態２＞
次に、実施の形態２に係る液晶表示装置について説明する。図８は、実施の形態２に係る液晶表示装置が備えるゲートドライバＩＣ３ａ、ゲートドライバＩＣ３ｂ、およびタイミングコントローラー７の接続と、これらの動作を示す概略図である。なお、実施の形態２において、実施の形態１で説明したものと同一の構成要素については同一符号を付して説明は省略する。
【００４０】
実施の形態２では、図８に示すように、ゲートドライバＩＣ３ａおよびゲートドライバＩＣ３ｂのＧＤＥＴＭＯＤＥ端子と、タイミングコントローラー７のＧＤＥＴＭＯＤＥ１端子およびＧＤＥＴＭＯＤＥ２端子がそれぞれ接続される。ＧＤＥＴＭＯＤＥ１端子およびＧＤＥＴＭＯＤＥ２端子から出力される信号の”Ｈ／Ｌ”レベルが互いに異なるように制御される。
【００４１】
具体的には、タイミングコントローラー７は、映像信号のフレーム毎に、ＧＤＥＴＭＯＤＥ１端子およびＧＤＥＴＭＯＤＥ２端子から出力される信号の”Ｈ／Ｌ”レベルをそれぞれ反転させる。これにより、ゲートドライバＩＣ３ａおよびゲートドライバＩＣ３ｂは、映像信号のフレーム毎に、交互に電圧出力動作と異常検出動作が入れ替わるように切り替えを行う制御が可能となる。
【００４２】
実施の形態１では、片方のゲートドライバＩＣ３ａの出力電圧値の異常しか検出することができなかったが、実施の形態２では、ゲートドライバＩＣ３ａおよびゲートドライバＩＣ３ｂの両方の出力電圧値の異常を検出することができる。
【００４３】
例えば、タイミングコントローラー７は、奇数フレーム目にＧＤＥＴＭＯＤＥ１端子から”Ｌ”レベルの信号を出力するとともに、ＧＤＥＴＭＯＤＥ２端子から”Ｈ”レベルの信号を出力することで、ゲートドライバＩＣ３ａは電圧出力動作を行い、ゲートドライバＩＣ３ｂは異常検出動作を行う。また、タイミングコントローラー７は、偶数フレーム目にＧＤＥＴＭＯＤＥ１端子から”Ｈ”レベルの信号を出力するとともに、ＧＤＥＴＭＯＤＥ２端子から”Ｌ”レベルの信号を出力することで、ゲートドライバＩＣ３ａは異常検出動作を行い、ゲートドライバＩＣ３ｂは電圧出力動作を行う。
【００４４】
以上のように、実施の形態２に係る液晶表示装置では、ゲートドライバＩＣ３ａおよびゲートドライバＩＣ３ｂは、映像信号のフレーム毎に、交互に電圧出力動作と異常検出動作が入れ替わるように切り替えを行う。したがって、ゲートドライバＩＣ３ａおよびゲートドライバＩＣ３ｂの両方の全ての出力電圧値の異常を検出することができる。
【００４５】
また、ゲートドライバＩＣ３ａおよびゲートドライバＩＣ３ｂの電圧出力動作と異常検出動作の切り替えを行うための切り替え信号をタイミングコントローラー７で簡単に生成できるため、タイミングコントローラー７により電圧出力動作と異常検出動作の切り替えを簡単に制御することができる。
【００４６】
＜実施の形態３＞
次に、実施の形態３に係る液晶表示装置について説明する。図９は、実施の形態３に係る液晶表示装置が備えるゲートドライバＩＣ３ａ、ゲートドライバＩＣ３ｂ、およびタイミングコントローラー７の接続と、これらの動作を示す概略図である。なお、実施の形態３において、実施の形態１，２で説明したものと同一の構成要素については同一符号を付して説明は省略する。
【００４７】
実施の形態３では、図９に示すように、ゲートドライバＩＣ３ａは、複数のゲート配線５のうち一部のゲート配線５に接続されるｏｕｔＮ（Ｎ＝１，２，３，・・・）端子において電圧出力動作を行い、複数のゲート配線５のうち残部のゲート配線５に接続されるｏｕｔＮ（Ｎ＝１，２，３，・・・）端子において異常検出動作を行うことで、ゲートドライバＩＣ３ｂの出力電圧値の異常を検出する。
【００４８】
また、ゲートドライバＩＣ３ｂは、複数のゲート配線５のうち一部のゲート配線５に接続されるｏｕｔＮ（Ｎ＝１，２，３，・・・）端子において異常検出動作を行うことで、ゲートドライバＩＣ３ａの出力電圧値の異常を検出し、複数のゲート配線５のうち残部のゲート配線５に接続されるｏｕｔＮ（Ｎ＝１，２，３，・・・）端子において電圧出力動作を行う。
【００４９】
実施の形態１では、片方のゲートドライバＩＣ３ａの出力電圧値の異常しか検出することができなかったが、実施の形態３では、実施の形態２の場合と同様に、ゲートドライバＩＣ３ａおよびゲートドライバＩＣ３ｂの両方の出力電圧値の異常を検出することができる。
【００５０】
実施の形態３に係る液晶表示装置が備えるゲートドライバＩＣ３ａおよびゲートドライバＩＣ３ｂは、図３に示した構成をベースに仕様が変更されている。ゲートドライバＩＣ３ａのＧＤＥＴＭＯＤＥ端子には”Ｌ”レベルの信号が固定した状態で入力されるため、ゲートドライバＩＣ３ａはｏｕｔＮ（Ｎ＝１，２，３，・・・）端子のうちの奇数端子において電圧出力動作を行い、偶数端子において異常検出動作を行う。さらにゲートドライバＩＣ３のＧＤＥＴＭＯＤＥ端子には、”Ｈ”レベルの信号が固定した状態で入力されるため、ゲートドライバＩＣ３ｂは奇数端子において異常検出動作を行い、偶数端子において電圧出力動作を行う。
【００５１】
このとき、タイミングコントローラー７には、ゲートドライバＩＣ３ａから出力されるＧＶＦＡＩＬを監視するＧＶＦＡＩＬ１端子と、ゲートドライバＩＣ３ｂから出力されるＧＶＦＡＩＬを監視するＧＶＦＡＩＬ２端子が設けられる。これにより、ゲートドライバＩＣ３ａおよびゲートドライバＩＣ３ｂからのＧＶＦＡＩＬ信号をタイミングコントローラー７で監視することでゲート電圧の異常を検出することが可能となる。
【００５２】
以上のように、実施の形態３に係る液晶表示装置では、ゲートドライバＩＣ３ａは、複数のゲート配線５のうち一部のゲート配線５に接続されるｏｕｔＮ（Ｎ＝１，２，３，・・・）端子において電圧出力動作を行い、複数のゲート配線５のうち残部のゲート配線５に接続されるｏｕｔＮ（Ｎ＝１，２，３，・・・）端子において異常検出動作を行うことで、ゲートドライバＩＣ３ｂの出力電圧値の異常を検出する。ゲートドライバＩＣ３ｂは、複数のゲート配線５のうち一部のゲート配線５に接続されるｏｕｔＮ（Ｎ＝１，２，３，・・・）端子において異常検出動作を行うことで、ゲートドライバＩＣ３ａの出力電圧値の異常を検出し、複数のゲート配線５のうち残部のゲート配線５に接続されるｏｕｔＮ（Ｎ＝１，２，３，・・・）端子において電圧出力動作を行う。
【００５３】
したがって、ゲートドライバＩＣ３ａおよびゲートドライバＩＣ３ｂの両方の出力電圧値の異常を同時に検出することができる。また、ゲートドライバＩＣ３ａおよびゲートドライバＩＣ３ｂのＧＤＥＴＭＯＤＥ端子に入力される信号は”Ｌ”レベルおよび”Ｈ”レベルにそれぞれ固定されるため、外部からの制御によらずに簡単に制御することができる。
【００５４】
さらに、実施の形態２のように、フレーム毎に交互に電圧出力動作と異常検出動作が入れ替わるように切り替えを行う場合、タイミングによっては片方のゲートドライバＩＣの異常を検出できない可能性があるが、実施の形態３では、タイミングコントローラー７は、時間によらずゲートドライバＩＣ３ａおよびゲートドライバＩＣ３ｂの両方のＧＶＦＡＩＬ信号を監視し続けることができる。
【００５５】
＜実施の形態４＞
次に、実施の形態４に係る液晶表示装置について説明する。図１０は、実施の形態４に係る液晶表示装置が備えるゲートドライバＩＣ３ａ、ゲートドライバＩＣ３ｂ、およびタイミングコントローラー７の接続と、これらの動作を示す概略図である。なお、実施の形態４において、実施の形態１〜３で説明したものと同一の構成要素については同一符号を付して説明は省略する。
【００５６】
実施の形態４では、図１０に示すように、ゲートドライバＩＣ３ａは、ゲートドライバＩＣ３ｂの出力電圧値の異常を一定期間検出した場合、ゲートドライバＩＣ３ａのみ電圧出力動作を行うように制御される。また、ゲートドライバＩＣ３ｂは、ゲートドライバＩＣ３ａの出力電圧値の異常を一定期間検出した場合、ゲートドライバＩＣ３ｂのみ電圧出力動作を行うように制御される。
【００５７】
実施の形態３の場合と同様に、タイミングコントローラー７には、ゲートドライバＩＣ３ａから出力されるＧＶＦＡＩＬを監視するＧＶＦＡＩＬ１端子と、ゲートドライバＩＣ３ｂから出力されるＧＶＦＡＩＬを監視するＧＶＦＡＩＬ２端子が設けられる。
【００５８】
また、実施の形態２の場合と同様に、ゲートドライバＩＣ３ａおよびゲートドライバＩＣ３ｂは、映像信号のフレーム毎に、交互に電圧出力動作と異常検出動作が入れ替わるように切り替えを行う制御が行われる。タイミングコントローラー７は、ＧＶＦＡＩＬ２端子において”Ｌ”レベルの状態が一定時間続くと判定した場合、すなわち、ゲートドライバＩＣ３ｂがゲートドライバＩＣ３ａの出力電圧値の異常を一定期間検出した場合、ＧＤＥＴＭＯＤＥ１端子から出力される信号を常に”Ｈ”レベル、ＧＤＥＴＭＯＤＥ２端子から出力される信号を常に”Ｌ”レベルで出力する。これにより、ゲートドライバＩＣ３ａは常に異常検出動作を行い、ゲートドライバＩＣ３ｂは常に電圧出力動作を行うことが可能となる。
【００５９】
一方、タイミングコントローラー７は、ＧＶＦＡＩＬ１端子において”Ｌ”レベルの状態が一定時間続くと判定した場合、すなわち、ゲートドライバＩＣ３ａがゲートドライバＩＣ３ｂの出力電圧値の異常を一定期間検出した場合、ＧＤＥＴＭＯＤＥ１端子から出力される信号を常に”Ｌ”レベル、ＧＤＥＴＭＯＤＥ２端子から出力される信号を常に”Ｈ”レベルで出力する。これにより、ゲートドライバＩＣ３ａは常に電圧出力動作を行い、ゲートドライバＩＣ３ｂは常に異常検出動作を行うことが可能となる。
【００６０】
以上のように、実施の形態４に係る液晶表示装置では、ゲートドライバＩＣ３ａは、ゲートドライバＩＣ３ｂの出力電圧値の異常を一定期間検出した場合、ゲートドライバＩＣ３ａのみ電圧出力動作を行うことが可能である。また、ゲートドライバＩＣ３ｂは、ゲートドライバＩＣ３ａの出力電圧値の異常を一定期間検出した場合、ゲートドライバＩＣ３ｂのみ電圧出力動作を行うことが可能である。したがって、電圧出力動作に異常のあるゲートドライバＩＣを自動で電圧出力動作の対象から外すことができる。
【００６１】
なお、本発明は、その発明の範囲内において、各実施の形態を自由に組み合わせたり、各実施の形態を適宜、変形、省略することが可能である。
【符号の説明】
【００６２】
１  液晶パネル、３ａ，３ｂ  ゲートドライバＩＣ、５  ゲート配線、１１  出力部、１２  検出部。
【図１】
2019207275.tif 000003
【図２】
2019207275.tif 000004
【図３】
2019207275.tif 000005
【図４】
2019207275.tif 000006
【図５】
2019207275.tif 000007
【図６】
2019207275.tif 000008
【図７】
2019207275.tif 000009
【図８】
2019207275.tif 000010
【図９】
2019207275.tif 000011
【図１０】
2019207275.tif 000012
【図１１】
2019207275.tif 000013
【図１２】
2019207275.tif 000014